(57)【要約】【課題】空箱時における占有空間が小さく、かつ側壁等が排水によって汚れ難い発泡合成樹脂製梱包箱を提供すること。【解決手段】容器本体２の底壁１１内面に、該底壁１１の下面に貫通する排水孔１２を形成し、さらに、上記容器本体２の上方部４ｂ側壁の隅部に、上下に貫通する排水孔７を形成し、下方部４ａ側壁の隅部外面に縦方向の排水案内用溝８を形成すると共に、上方部４ｂ側壁隅部下面に、上記排水孔７の下端と上記排水案内用溝８とを結ぶ排水案内用傾斜面１０を形成し、上記蓋体３の上面隅部に、該蓋体３を上記容器本体２に被せた状態で、上記容器本体２の上方部に形成した排水孔７と対応する位置に、排水孔２３を貫設したことを特徴とする。【選択図】        図５
2007161296.tif 000002
【特許請求の範囲】
【請求項１】
容器本体と蓋体とによって構成され、上記容器本体を、上方部に対して下方部を小さく形成して、上位の容器本体の下方部を、下位の容器本体の上方部内に収容し得るようにした発泡合成樹脂製梱包箱において、
上記容器本体の底壁内面に、該底壁の下面に貫通する排水孔を形成し、さらに、上記容器本体の上方部側壁に上下方向に貫通する排水孔を形成し、かつ上記下方部側壁外面に縦方向に延びる排水案内用溝を形成すると共に、上方部側壁下面に、上記排水孔の下端と上記排水案内用溝とを結ぶ排水案内用傾斜面を形成し、上記蓋体の上面に、該蓋体を上記容器本体に被せた状態で、上記容器本体の上方部に形成した排水孔と対応する位置に、排水孔を貫設したことを特徴とする、発泡合成樹脂製梱包箱。
【請求項２】
上記容器本体の上方部側壁下面に、切欠き部を形成し、該切欠き部の底面に上記排水案内用傾斜面を配設したことを特徴とする、請求項１に記載の発泡合成樹脂製梱包箱。
【請求項３】
上記容器本体と蓋体とを平面視矩形状に形成し、上記排水孔、上記排水案内用溝および上記排水案内用傾斜面を、容器本体の隅部に配設したことを特徴とする、請求項１または２に記載の発泡合成樹脂製梱包箱。
【発明の詳細な説明】
【技術分野】
【０００１】
本発明は、発泡合成樹脂製梱包箱に関するもので、詳しくは、空箱時における占有空間が小さく、かつ側壁等が箱内から流出した排水によって汚れ難い発泡合成樹脂製梱包箱に関するものである。
【背景技術】
【０００２】
軽量で保冷に適した生鮮食品用梱包箱としては、保冷効果を高め、かつ軽量化を図るために発泡合成樹脂によって形成した発泡合成樹脂製梱包箱が広く使用されている。
【０００３】
このような発泡合成樹脂製梱包箱には、側壁の上下方向に排水孔を貫設し、該梱包箱を積み上げて使用する際に、上位の梱包箱から流出した氷水等の排水を、下位の梱包箱の側壁に形成した排水孔を通して下方へ流すことによって、梱包箱の側壁外面が汚れないようにすると共に、下位の梱包箱内が上位の梱包箱からの排水によって汚染されないようにしたものが存在する（例えば、特許文献１）。
【０００４】
また、空箱の状態における占有空間の低減を目的として、梱包箱の下方部を上方部よりも小さく形成し、空の梱包箱を積み上げて保管，運搬を行なう際に、上位の梱包箱の下方部を下位の梱包箱の上方部内に挿嵌させて積み上げることによって、嵩を低くするようにしたものが存在する（例えば、特許文献２）。
【０００５】
【特許文献１】実用新案登録第３０４３５２１号公報（特に、図１及び図２参照）
【特許文献２】特開平６−３２３７５号公報（特に、図３及び図４参照）
【発明の開示】
【発明が解決しようとする課題】
【０００６】
ところで、上記特許文献２に示されたような、上位の梱包箱の下方部を下位の梱包箱の上方部内に挿嵌させて積み上げ得るようにした発泡合成樹脂製梱包箱において、上記特許文献１の技術を適用しようとすると、排水孔は容器本体の上方部側壁にしか形成できないため、下方部側壁は排水によって汚れてしまい、また飛散した排水によって周囲も汚してしまう虞があった。
【０００７】
そこで、本発明は、空箱時における占有空間が小さく、かつ箱内から流出した排水によって側壁等が汚れ難い発泡合成樹脂製梱包箱を提供することを目的とする。
【課題を解決するための手段】
【０００８】
上記した目的を達成するため、請求項１の発泡合成樹脂製梱包箱は、容器本体と蓋体とによって構成され、上記容器本体を、上方部に対して下方部を小さく形成して、上位の容器本体の下方部を、下位の容器本体の上方部内に収容し得るようにした発泡合成樹脂製梱包箱において、上記容器本体の底壁内面に、該底壁の下面に貫通する排水孔を形成し、さらに、上記容器本体の上方部側壁に上下方向に貫通する排水孔を形成し、かつ上記下方部側壁外面に縦方向に延びる排水案内用溝を形成すると共に、上方部側壁下面に、上記排水孔の下端と上記排水案内用溝とを結ぶ排水案内用傾斜面を形成し、上記蓋体の上面に、該蓋体を上記容器本体に被せた状態で、上記容器本体の上方部に形成した排水孔と対応する位置に、排水孔を貫設したことを特徴とする。
【０００９】
また、請求項２の発泡合成樹脂製梱包箱は、上記請求項１の発明において、上記容器本体の上方部側壁下面に、切欠き部を形成し、該切欠き部の底面に上記排水案内用傾斜面を配設したことを特徴とする。
【００１０】
さらに、請求項３の発泡合成樹脂製梱包箱は、上記請求項１または２の発明において、上記容器本体と蓋体とを平面視矩形状に形成し、上記排水孔、上記排水案内用溝および上記排水案内用傾斜面を、容器本体の隅部に配設したことを特徴とする。
【発明の効果】
【００１１】
上記した請求項１の本発明に係る発泡合成樹脂製梱包箱によれば、該梱包箱を積み重ねた状態において、上位の梱包箱から流れ出た排水は、下位の梱包箱の蓋体に形成した排水孔から容器本体の上方部側壁に形成した排水孔に流れ込み、上方部側壁下面において、排水孔から排水案内用傾斜面を経て下方部側壁外面に形成された排水案内用溝に伝達され、該溝を伝わって梱包箱の下方へ排出されるので、上方部排水孔から流出された排水は、飛散することなく梱包箱の下方に確実に排出される。
したがって、排水は、発泡合成樹脂製梱包箱の周辺に飛散することはなく、周囲を汚す虞がない。また、排水は、容器本体の下方部側壁を伝わって下方に排出されるが、下方部側壁は、上方部側壁に対して内方にオフセットされており、しかも、下方部側壁の外面に形成された溝を伝わって排出されるので、汚れは殆ど目立たない。
【００１２】
また、上記した請求項２の本発明に係る発泡合成樹脂製梱包箱によれば、上方部側壁の排出孔から流出される排水は、切欠き部の側壁によって案内され、その底部に形成された排水案内用傾斜面を伝わって下方部側壁の排水案内用溝に伝達される。したがって、排水は、より確実に下方部側壁の排水案内用溝に伝達され、飛散する憂いがさらにない。
【００１３】
また、上記した請求項３の本発明に係る発泡合成樹脂製梱包箱によれば、平面視矩形状の容器本体の隅部に、排水孔、排水案内用溝等が配設されているので、側壁の強度低下が低減され、また隅部に排水案内用溝があるため、よりスムースに排水が案内され、また汚れもさらに目立たないものとなる。
【発明を実施するための最良の形態】
【００１４】
以下、上記した本発明に係る発泡合成樹脂製梱包箱の実施の形態を、図面を参照しながら詳細に説明する。
ここで、図１は、本発明に係る発泡合成樹脂製梱包箱の一実施の形態に係る容器本体および蓋体を示した斜視図、図２は、図１に示した容器本体の要部拡大断面図である。また、図３は、図１に示した発泡合成樹脂製梱包箱の蓋体の裏面側を示した斜視図、図４は、図１に示した発泡合成樹脂製梱包箱を積上げた状態を示した縦断面図、図５は、図４に示した発泡合成樹脂製梱包箱を積上げた状態における排水作用を示した要部断面斜視図である。さらに、図６は、図１に示した発泡合成樹脂製梱包箱の空の状態における積み重ね状態を示した縦断面図である。
【００１５】
本発明の一実施の形態に係る発泡合成樹脂製梱包箱１は、図１に示したように、直方体形に形成され、上方に開口を有し、内部に生鮮食品等の収容空間を有する容器本体２と、該容器本体２の開口を閉塞する蓋体３とから構成されている。そして、これらの容器本体２と蓋体３は、ポリスチレン等の発泡合成樹脂によって型成形されている。
【００１６】
上記容器本体２は、図１および図２に示したように、下方部が上方部に対して小さく、即ち、側壁４の下方部（以下、「側壁下方部」）４ａが、側壁４の上方部（以下、「側壁上方部」）４ｂの外面に対し、該側壁上方部４ｂの肉厚相当分ｔだけ内方にオフセットさせて形成されている。
【００１７】
また、この容器本体２は、その上端面全周にわたって、上方に突出するリブ５を備えている。このリブ５は、その内面が側壁上方部４ｂの内面と面一で、側壁上方部４ｂの肉厚に対して略半分程の肉厚を有している。また、側壁上方部４ｂと側壁下方部４ａとの境界には段部６が形成されている。そして、上記容器本体２の各隅部における側壁上方部４ｂには、上端がリブ５の上面に開口し、下端が段部６の底壁に開口する排水孔７が形成されている。
【００１８】
また、容器本体２の側壁下方部４ａの隅部外面には、縦方向に延びる排水案内用溝８が形成されている。また、上記段部６の排水孔７が開口する部位に位置し、かつ上記排水案内用溝８に向けて切欠き部９が形成され、該切欠き部９の底面には、排水孔７の下端と上記排水案内用溝８とを結ぶ排水案内用傾斜面１０が形成されている。
【００１９】
また、容器本体２の隅部における底壁１１と側壁下方部４ａとが会合する部位には、下方に開口する排水凹部１２が形成されている。また、側壁下方部４ａの隅部内面には、底壁１１から上方に向けて凹条１３が形成されている。そして、この凹条１３の下方に位置する底壁１１の上面には、外方に向けて傾斜する排水用傾斜面１４が形成されており、該排水用傾斜面１４の外方端には、凹部１５が形成されている。そして、この凹部１５と上記排水凹部１２とは互いに連通されている。
【００２０】
また、容器本体２の底壁１１の下面隅部には、底壁１１の下面から僅かな段差をもって排水用切欠き部１６が形成されている。この排水用切欠き部１６は、地面、コンクリート等の載置面に容器本体２が直接載置された場合に、容器本体２の底壁１１の下面と載置面との間に排水用の間隙を確保するためのものである。
【００２１】
さらに、この容器本体２には、底壁１１の上面に、凸条１７が形成されている。これは、例えば、生鮮食品等を冷却するための氷が融けた場合に、その水が、底壁１１の隅部に設けた排水用傾斜面１４を介して排水凹部１２にスムースに流れるように、生鮮食品等、または氷を、底壁１１から浮いた状態に収容させるためである。
【００２２】
また、この容器本体２には、相対向する側壁上方部４ｂの中央部下端に、梱包箱１を持ち上げる際に指を掛ける取っ手用切欠き部１８が形成され、容器本体２の各隅部における側壁上方部４ｂの上縁には、蓋体３を開ける際に、指を掛ける取っ手用切欠き部１９が形成されている。
【００２３】
一方、上記蓋体３は、図１に示したように、中央部に蓋体３の外郭に倣った形状の凹部２０が形成されており、その大きさは、容器本体２の底壁１１の外郭よりも僅かに大きく形成されている。そして、この凹部２０を画成する矩形状の枠壁２１の隅部には、一部が凹部２０に開口する大径の切欠き部２２が形成され、該切欠き部２２の底面には、下面に貫通する排水孔２３が形成されている。また、凹部２０の４隅には、外方へ向かって下方に傾斜する傾斜面２４が形成され、該傾斜面２４の外端部は、上記排水孔２３に連続している。
【００２４】
また、蓋体３の裏面には、図３に示したように、上記排水孔２３を挟むようにし、かつ容器本体２の上記リブ５の厚みよりも僅かに大きな間隙をもって、外側リブ２５ａおよび内側リブ２５ｂが形成されている。
【００２５】
上記のように構成された本発明に係る発泡合成樹脂製梱包箱１は、図４に示したように、例えば、容器本体２の側壁下方部４ａによって画成される部分に氷を収容し、その上にイカ等の生鮮食品を載せ、蓋体３を被せて、複数段に積上げられて保管、輸送される。
【００２６】
この状態の発泡合成樹脂製梱包箱１では、容器本体２のリブ５に、蓋体３の外側リブ２５ａと内側リブ２５ｂとによって画成された凹部２６が嵌合され、そして、容器本体２の開口が密封される。また、上位の発泡合成樹脂製梱包箱１は、その容器本体２の底部が、下位の発泡合成樹脂製梱包箱１の蓋体３の凹部２０内に収容され、枠壁２１によって、上位の発泡合成樹脂製梱包箱１が下位の発泡合成樹脂製梱包箱１に対して水平方向にずれることが防止される。
【００２７】
この状態で、発泡合成樹脂製梱包箱１内の氷が融けると、その水は、図５に示したように、容器本体２の底壁１１上面から各隅部の排水用傾斜面１４を介して排水凹部１２に流れ込み、該排水凹部１２を介して下位に位置する発泡合成樹脂製梱包箱１の蓋体３の上面に落下する。
【００２８】
そして、蓋体３の上面に落下した排水は、蓋体３の上面の傾斜面２４を経て排水孔２３に流れ込み、さらに、容器本体２の側壁上方部４ｂの排水孔７を経て下方に排出され、側壁上方部４ｂの下端に達し、表面張力によって排水案内用傾斜面１０を伝わり、排水案内用溝８に至り、該排水案内用溝８を経て下位の発泡合成樹脂製梱包箱１の蓋体３の上面に落下し、上記と同様にして、最下部の発泡合成樹脂製梱包箱１の排水案内用溝８から底壁１１の下方へ排出される。
【００２９】
また、発泡合成樹脂製梱包箱１に氷，生鮮食品等を入れない状態で、複数の発泡合成樹脂製梱包箱１を保管したり運搬する場合には、図６に示したように、上位の容器本体２の底部（側壁下方部４ａ）を下位の容器本体２内（側壁上方部４ｂ内）に挿嵌させて積み重ね、それらの蓋体３をその上方に重ね合わせることによって、その占有空間を小さいものとすることができる。
【００３０】
以上、本発明に係る発泡合成樹脂製梱包箱の好適な実施の形態を説明したが、本発明は、何ら既述の実施の形態に限定されず、特許請求の範囲に記載した本発明の技術的思想の範囲内において、種々の変形及び変更が可能であることは当然である。
例えば、上記実施の形態においては、平面視矩形状の容器本体２および蓋体３から成る発泡合成樹脂製梱包箱１を示したが、平面視円形、或いは楕円形等の容器本体および蓋体から成る発泡合成樹脂製梱包箱であってもよい。また、排水手段を構成する排水孔７、排水案内用溝８、および排水案内用傾斜面１０の形成位置は、必ずしも容器本体２の隅部である必要はなく、側壁４の途中板面等に形成してもよい。
【図面の簡単な説明】
【００３１】
【図１】本発明に係る発泡合成樹脂製梱包箱の容器本体および蓋体を示した斜視図である。
【図２】図１に示した容器本体の要部拡大断面図である。
【図３】図１に示した発泡合成樹脂製梱包箱の蓋体の裏面側を示した斜視図である。
【図４】図１に示した発泡合成樹脂製梱包箱を積上げた状態を示した縦断面図である。
【図５】図４に示した発泡合成樹脂製梱包箱を積上げた状態における排水作用を示した要部断面斜視図である。
【図６】図１に示した発泡合成樹脂製梱包箱の空の状態における積み重ね状態を示した縦断面図である。
【符号の説明】
【００３２】
１      発泡合成樹脂製梱包箱
２      容器本体
３      蓋体
４      側壁
４ａ    下方部（側壁下方部）
４ｂ    上方部（側壁上方部）
５      リブ
６      段部
７      排水孔
８      排水案内用溝
９      切欠き部
１０    排水案内用傾斜面
１１    底壁
１２    排水凹部
１３    凹条
１４    排水用傾斜面
１５    凹部
１６    排水用切欠き部
１７    凸条
１８    取っ手用切欠き部
１９    取っ手用切欠き部
２０    凹部
２１    枠壁
２２    切欠き部
２３    排水孔
２４    傾斜面
２５ａ  外側リブ
２５ｂ  内側リブ
２６    凹部
【図１】
2007161296.tif 000003
【図２】
2007161296.tif 000004
【図３】
2007161296.tif 000005
【図４】
2007161296.tif 000006
【図５】
2007161296.tif 000007
【図６】
2007161296.tif 000008